(57)【特許請求の範囲】
【請求項１】
中空ハウジング部が内部に設けられ、該中空ハウジング部は閉空間を形成し、底面が解放された中空体であって、少なくとも１組の通気孔が互いに対向するように表面の縁端に設けられ、発泡体層及びジェル層が上面に被着された硬質の枕本体と、  
前記硬質の枕本体及び前記発泡体層及び前記ジェル層を覆設する通気性被覆体と、を備えることを特徴とする枕の構造。
【請求項２】
前記ジェル層は、前記発泡体層の上に被着され、前記発泡体層は、前記硬質の枕本体の上に被着されることを特徴とする請求項１に記載の枕の構造。
【請求項３】
前記発泡体層は、前記硬質の枕本体に接着剤により貼付けられることを特徴とする請求項１に記載の枕の構造。
【発明の詳細な説明】
【技術分野】
【０００１】
本発明は枕の構造に関し、特に、中空ハウジングから構成され、通気孔が開設され、通気性材料により覆われ、通気性と、通風性と、温度を下げる効果とを有する枕の構造に関する。
【背景技術】
【０００２】
生物の正常な活動にとって睡眠は非常に重要であり、人類の場合、１日当り７〜８時間睡眠することが好ましいと考えられている。規則正しい睡眠時間と良好な睡眠の質は、生活パターン及び翌日のスケジュールに大きな影響を与えるため、睡眠の環境及び質を良好に保つことは非常に重要である。睡眠環境が好ましくない場合、不眠症などの睡眠障害を起こし易くなる。そのため、睡眠の質を大幅に高めるために、枕などの適宜な寝具がよく使用されている。
【０００３】
しかし、従来の枕は使用上、以下のような短所を有する。
（１）スポンジからなる枕は、材質が柔らかすぎて頭部を十分に支えることができない上、変形し易い。
（２）木製の枕は、頭部を支える効果を有するが、材料が硬すぎて通気性が好ましくない。
（３）豆類、茶葉を充填した枕は、通気性が悪い上に支持力が十分でない。また、顆粒物を充填した枕は、ユーザ全員が快適に使用できると限らない。
（４）天然繊維、合成繊維又は羊毛を充填した枕は、通気性及び支持力が好ましくなく、長期間使用すると変形し易い。
【０００４】
また、暑い季節に枕を使用すると、頭部が暑苦しくなり、睡眠時の酸素が不足し、血流及び睡眠に悪影響を与えることがある。そのため、通気性材料の被覆体を組み合わせて通風を良好にして通気性を高めるとともに、良好な支持力を得て、足を暖かくし頭を涼しくし（以下、「頭寒足熱」という）、睡眠の質を高めることができる枕の構造が求められていた。
【発明の概要】
【発明が解決しようとする課題】
【０００５】
本発明の第１の目的は、通気性被覆体により覆い、通気孔、通気孔群、通気溝群及び通気凹溝群を設けて空気の対流を増やすことにより、通気性と、有酸素性と、通風性と、温度を下げる効果とを得て、頭寒足熱の状態にして睡眠の質を高めることができる枕の構造を提供することにある。
本発明の第２の目的は、枕本体の材料に硬質材料又は半硬質材料を用い、構造を強固にして変形し難くし、頭部の支持力を高める枕の構造を提供することにある。
本発明の第３の目的は、枕本体に選択的に緩衝材又は弾性材を結合させることにより、弾性を高め、柔らかくて心地良くして振動を吸収し、睡眠の快適性を高めることができる枕の構造を提供することにある。
【課題を解決するための手段】
【０００６】
上記課題を解決するために、中空ハウジング部が内部に設けられ、少なくとも１組の通気孔が互いに対向するように表面の縁端に設けられた枕本体と、前記枕本体上に直接覆設された通気性被覆体と、を備えることを特徴とする枕の構造が提供される。
【０００７】
前記枕本体は、通気溝群又は通気孔群が表面に設けられることが好ましい。
【０００８】
前記枕本体には、成型緩衝材が上に結合されることが好ましい。
【０００９】
上記課題を解決するために、中空ハウジング部が内部に設けられ、少なくとも１組の通気孔が互いに対向するように表面の縁端に設けられた枕本体と、前記枕本体の表面に結合された緩衝材と、前記枕本体及び前記緩衝材の上に直接覆設された通気性被覆体と、を備えることを特徴とする枕の構造が提供される。
【００１０】
上記課題を解決するために、中空ハウジング部が内部に設けられ、少なくとも１組の通気孔が互いに対向するように表面の側部に設けられた枕本体と、前記枕本体の表面に敷設された弾性材と、前記枕本体及び前記弾性材の上に直接覆設された通気性被覆体と、を備えることを特徴とする枕の構造が提供される。
【００１１】
上記課題を解決するために、中空ハウジング部が内部に設けられ、少なくとも１組の通気孔が互いに対向するように表面の側部に設けられた枕本体と、前記枕本体の上端部に結合された水袋と、を備えることを特徴とする枕の構造が提供される。
【００１２】
前記枕本体及び前記水袋は、通気性被覆体中に収納されることが好ましい。
【発明の効果】
【００１３】
本発明の枕の構造は、従来技術と異なり、以下（１）〜（３）の効果を有する。
（１）通気性被覆体により覆い、通気孔、通気孔群、通気溝群及び通気凹溝群を設けて空気の対流を増やすことにより、通気性と、有酸素性と、通風性と、温度を下げる効果とを得て、頭寒足熱の状態にして睡眠の質を高めることができる。
（２）枕本体の材料に硬質材料又は半硬質材料が用いられているため、構造を強固にして変形し難くし、頭部の支持力を高めることができる。
（３）枕本体に選択的に緩衝材又は弾性材を結合させることにより、弾性を高め、柔らかくて心地良い上、振動を吸収することができるため、睡眠の快適性を高めることができる。
【図面の簡単な説明】
【００１４】
【図１Ａ】本発明の第１実施形態による枕の構造を示す斜視図である。
【図１Ｂ】本発明の第１実施形態による枕の構造を示す斜視図である。
【図２】本発明の第２実施形態による枕の構造を示す斜視図である。
【図３Ａ】本発明の第３実施形態による枕の構造を示す分解斜視図である。
【図３Ｂ】本発明の第３実施形態による枕の構造を示す斜視図である。
【図３Ｃ】本発明の第３実施形態による枕の構造を示す斜視図である。
【図４Ａ】本発明の第４実施形態による枕の構造を示す分解斜視図である。
【図４Ｂ】本発明の第４実施形態による枕の構造を示す斜視図である。
【図５】本発明の第５実施形態による枕の構造を示す斜視図である。
【図６Ａ】本発明の第６実施形態による枕の構造を示す分解斜視図である。
【図６Ｂ】本発明の第６実施形態による枕の構造を示す斜視図である。
【図６Ｃ】本発明の第６実施形態による枕の構造を示す断面図である。
【図７】本発明の第７実施形態による枕の構造を示す分解斜視図である。
【図８】本発明の第８実施形態による枕の構造を示す断面図である。
【図９】本発明の第９実施形態による枕の構造を示す断面図である。
【図１０Ａ】本発明の一実施形態による枕の構造を実際に使用するときの状態を示す模式図である。
【図１０Ｂ】本発明の一実施形態による枕の構造を実際に使用するときの状態を示す模式図である。
【図１１】本発明の他の実施形態による枕の構造を実際に使用するときの状態を示す模式図である。
【発明を実施するための形態】
【００１５】
以下、本発明の実施形態について図に基づいて説明する。なお、これによって本発明が限定されるものではない。
【００１６】
（第１実施形態）
図１Ａ及び図１Ｂを参照する。図１Ａ及び図１Ｂに示すように、本発明の第１実施形態による枕の構造は、枕本体１及び通気性被覆体２を有する。枕本体１は、硬質材料又は半硬質材料からなるため支持効果を有し、緩衝効果を得るために、中空ハウジング部１６が内部に設けられている。また、枕本体１には、通気性を高めるために、少なくとも１組の通気孔１１が互いに対向するように表面の縁端に設けられている。
【００１７】
通気性被覆体２は、枕本体１上に直接覆設されている。
【００１８】
枕本体１は、プラスチック材、高分子プラスチック材（ｐｏｌｙｍｅｒｉｃ  ｐｌａｓｔｉｃ  ｍａｔｅｒｉａｌ）、金属材料、木材、竹材などからなるため、好適な支持効果を有する。また、第１実施形態による枕の構造は、頭寒足熱の状態でユーザが快適に睡眠できるように、通気孔により空気の流路を形成し、通気性と、通風性と、温度を下げる効果とを有する寝具を構成する。
【００１９】
通気性被覆体２は、メッシュ布（ｍｅｓｈ  ｆａｂｒｉｃ）、綿布（ｃｏｔｔｏｎ  ｃｌｏｔｈ）、織布（ｔｅｘｔｉｌｅ）又は織布が貼着された発泡体（ｆｏａｍ  ｌａｍｉｎａｔｅｄ  ｆａｂｒｉｃ）からなってもよい。
【００２０】
（第２実施形態）
図２を参照する。図２に示すように、本発明の第２実施形態による枕の構造は、空気の対流効果を高めるために、枕本体１の表面に通気孔１１を設ける以外に、枕本体１の表面に通気溝群１２が設けられている点だけが第１実施形態と異なるが、その他の部分は同じであるため、ここでは繰り返して述べない。
【００２１】
（第３実施形態）
図３Ａ、図３Ｂ及び図３Ｃを参照する。図３Ａ、図３Ｂ及び図３Ｃに示すように、本発明の第３実施形態による枕の構造は、枕本体１の表面に開設した通気孔群１３と、枕本体１の表面に設けた通気孔１１との組み合わせにより、空気の流路を形成し、枕本体１には、モールド成型発泡体（ｍｏｌｄ  ｆｏｒｍｅｄ  ｆｏａｍ）又は発泡体材料（ｆｏａｍｉｎｇ  ｍａｔｅｒｉａｌ）からなる成型緩衝材３が上に結合され、支持及び通気性の効果以外に、緩衝性及び振動吸収性の効果を得ることができ、通気性被覆体２中に枕本体１を収納する点だけが第１実施形態と異なるが、その他の部分は同じであるため、ここでは繰り返して述べない。
【００２２】
（第４実施形態）
図４Ａ及び図４Ｂを参照する。図４Ａ及び図４Ｂに示すように、本発明の第４実施形態による枕の構造は、枕本体１の表面に、発泡材料、形状記憶発泡体（ｍｅｍｏｒｙ  ｆｏａｍ）、高密度発泡体又は天然ラテックス発泡体（ｎａｔｕｒａｌ  ｌａｔｅｘ  ｆｏａｍ）からなる緩衝材４が結合され、緩衝材４と枕本体１とは、接着剤により貼り付けたり、面ファスナにより結合したりしてもよい。緩衝材４は、ユーザが横たわるときに、頭部に大きな衝撃が加わることを防ぐために、枕本体１が頭部に加える衝撃を和らげたり吸収したりするために用いる。これにより、ユーザは、快適に睡眠することができる。本発明の第４実施形態による枕の構造は、上述の点だけが第１実施形態と異なり、その他の部分は同じであるため、ここでは繰り返して述べない。
【００２３】
（第５実施形態）
図５を参照する。図５に示すように、本発明の第５実施形態による枕の構造は、枕本体１の表面に弾性材１４が敷設されている。この弾性材１４は、ジェル材料（ｇｅｌ  ｍａｔｅｒｉａｌ）、ラテックス材料（ｌａｔｅｘ  ｍａｔｅｒｉａｌ）、シリコーンゲル材料（ｓｉｌｉｃｏｎ  ｇｅｌ  ｍａｔｅｒｉａｌ）、軟質ゴム（ｓｏｆｔ  ｒｕｂｂｅｒ  ｍａｔｅｒｉａｌ）、軟質合成ゴム（ｓｏｆｔ  ｓｙｎｔｈｅｔｉｃ  ｒｕｂｂｅｒ  ｍａｔｅｒｉａｌ）又は軟質ポリウレタン材料（ｓｏｆｔ  ｐｏｌｙｕｒｅｔｈａｎｅ  ｍａｔｅｒｉａｌ）でもよい。この弾性材１４は、衝撃吸収作用を有するため、大きな衝撃がユーザに加わることを防ぐことができる。このように、ユーザの頭部が受ける圧力を均一に分散させ、特定の箇所に圧力が集中することを防ぐことにより、ユーザの首部がリラックスし、弾性材１４が有する滑り止め効果により、睡眠時にユーザの頭部が滑ることを防ぐとともに、弾性材１４の材料が熱を吸収しないため、温度を下げる効果を有する。本発明の第５実施形態による枕の構造は、上述の点だけが第１実施形態と異なり、その他の部分が同じであるため、ここでは繰り返して述べない。
【００２４】
枕本体１の表面に敷設する弾性材１４は、本発明の実施形態による態様だけに限定されるわけではなく、ユーザの必要に応じて他の態様で敷設してもよい。
【００２５】
（第６実施形態）
図６Ａ、図６Ｂ及び図６Ｃを参照する。図６Ａ、図６Ｂ及び図６Ｃに示すように、本発明の第６実施形態による枕の構造は、枕本体１の表面が、連続的に凹凸が配列された凹凸表面１５でもよい。弾性材１４が緩衝材４の表面に直接設置されてから、緩衝材４と枕本体１の表面とを接合させると、枕本体１の表面に空気の流路が形成される。この凹凸表面１５により、衝撃を吸収したり減少させたりする緩衝材４及び弾性材１４の振動吸収効果を高めることができる上、空気の流路により、迅速に排熱し、温度を下げることもできる。これにより、本発明の機能を向上させ、ユーザの選択肢を多様化させ、ユーザの睡眠の質を向上させることができる。本発明の第６実施形態による枕の構造は、上述の点だけが第１実施形態と異なり、その他の部分は同じであるため、ここでは繰り返して述べない。
【００２６】
（第７実施形態）
図７を参照する。図７に示すように、本発明の第７実施形態による枕の構造は、枕本体１の上端部表面に取り付けた複数の接合部材７を介し、枕本体１と水袋６とを接合させてもよい。接合部材７は、面ファスナのループ面又はフック面でもよい。水袋６の底面を面ファスナのループ面又はフック面と対向するように配置し、枕本体１の上端部表面に、ユーザの頭部をのせるために用いる水袋６を密着させてもよい。本発明の第７実施形態による枕の構造は、上述の点だけが第１実施形態と異なり、その他の部分は同じであるため、ここでは繰り返して述べない。
【００２７】
本実施形態では、接合部材７は面ファスナであるが、この態様だけに限定されるわけではなく、その他の結合可能な物（例えば、ボタン、ファスナ、テープなど）でもよい。
【００２８】
例えば、枕本体１が通気性被覆体２内に収納されるときに、通気性被覆体２の表面に接合部材７を取り付けてもよい。
【００２９】
（第８実施形態）
図８を参照する。図８に示すように、本発明の第８実施形態による枕の構造は、枕本体１の上端部表面に、接着剤により外袋６１を接着し、外袋６１と枕本体１とを一体成形させてもよい。枕本体１の上端部表面には、外袋６１内に液体を注入し、ユーザの頭部をのせるために用いる水袋６を構成する。本発明の第８実施形態による枕の構造は、上述の点だけが第１実施形態と異なり、その他の部分は同じであるため、ここでは繰り返して述べない。
【００３０】
上端部表面に水袋６を有する枕本体１は、通気性被覆体２の中に収納されてもよい。
【００３１】
上述の枕本体１上に設けられた通気溝群１２、通気孔群１３及び凹凸表面１５は、弾性材１４、成型緩衝材３、緩衝材４のいずれか１つと組み合わせてもよく、本発明の実施形態の態様だけに限定されるわけではない。
【００３２】
図９を参照する。図９に示すように、本発明の第９実施形態による枕の構造の枕本体１は、底面にカバープレート１７が配置され、通風・通気の効果を得るために中空ハウジング１６及び通気孔１１が設けられている。枕本体１は、カバープレート１７により床面との接触面積が大きくなり、安定して床面上に置くことができる。
【００３３】
図１０Ａ及び図１０Ｂを参照する。図１０Ａ及び図１０Ｂに示すように、枕本体１が硬質材料又は半硬質材料からなるため、ユーザ５の頭部を枕本体１上にのせたときに好ましい支持効果を得ることができる。また枕本体１は、中空ハウジング部１６により、緩衝効果及び振動吸収効果を有し、ユーザ５の頭部が衝撃を受けることを防ぐとともに、ユーザ５の頭部から放出される熱を吸収することができる。また、枕本体１に設けられた通気孔１１及び通気孔群１３により、空気を導入し、様々な方向に設けられた開口部により空気対流を発生させ、人体の熱を迅速に排出させるとともに、外部の気流を取り入れ、枕本体１の表面を清涼に保つ。枕本体１は、内部に熱がこもらず、自然な通風により放熱効果を得るとともに、酸素を十分に供給して睡眠中に多くの酸素を吸うことができるようにし、ユーザ５が質のよい睡眠が得られるようにする。
【００３４】
図１１を参照する。図１１に示すように、図１０Ａ及び図１０Ｂと異なり、ユーザ５の頭部を緩衝材４上にのせると、緩衝材４が衝撃を吸収したり緩和したりする振動吸収作用を有するため、ユーザ５の頭部に対する柔軟性及び快適性を高めることができる。枕本体１の表面に敷設された凹凸表面１５と、緩衝材４とにより形成された空気の流路は、空気の対流効果を高めることができる。このように、優れた支持効果、通気性及び通風性を有し、温度を下げる効果を有する寝具により、ユーザは頭寒足熱の状態で快適な睡眠を得ることができる。その他得られる効果は、図９Ａ及び図９Ｂの実施形態が得られる効果と同じであるため、ここでは繰り返して述べない。
【００３５】
上述したことから分かるように、本発明の枕の構造は、従来技術と異なり、以下（１）〜（３）の長所を有する。
（１）通気性被覆体により覆い、通気孔、通気孔群、通気溝群及び通気凹溝群を設けて空気の対流を増やすことにより、通気性、通風性及び低温性の特長を有する寝具を構成し、頭寒足熱の状態により睡眠の質を高めることができる。
（２）枕本体の材料に固体物質又は半個体物質を用いて構造を強固にし、頭部の支持力を高めることができる。
（３）枕本体へ選択的に緩衝材又は弾性材を結合させることにより、弾性を高め、振動を吸収し、首部にかかる圧力を枕上で均一に分布させ、睡眠の快適性を高めることができる。
【００３６】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３７】
１  枕本体
２  通気性被覆体
３  成型緩衝材
４  緩衝材
５  ユーザ
６  水袋
７  接合部材
１１  通気孔
１２  通気溝群
１３  通気孔群
１４  弾性材
１５  凹凸表面
１６  中空ハウジング
１７  カバープレート
６１  外袋
【図１Ａ】
0005346961.tif 000002
【図１Ｂ】
0005346961.tif 000003
【図２】
0005346961.tif 000004
【図３Ａ】
0005346961.tif 000005
【図３Ｂ】
0005346961.tif 000006
【図３Ｃ】
0005346961.tif 000007
【図４Ａ】
0005346961.tif 000008
【図４Ｂ】
0005346961.tif 000009
【図５】
0005346961.tif 000010
【図６Ａ】
0005346961.tif 000011
【図６Ｂ】
0005346961.tif 000012
【図６Ｃ】
0005346961.tif 000013
【図７】
0005346961.tif 000014
【図８】
0005346961.tif 000015
【図９】
0005346961.tif 000016
【図１０Ａ】
0005346961.tif 000017
【図１０Ｂ】
0005346961.tif 000018
【図１１】
0005346961.tif 000019